【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
第１の遮断周波数を有し、入力された映像信号の低周波成分信号を抽出する第１のローパスフィルタと、
前記入力された映像信号より前記低周波成分信号を減算して、第１の高周波成分信号を抽出する減算器と、
前記第１の遮断周波数よりも高い第２の遮断周波数を有し、前記第１の高周波成分信号における低域側の信号である低域側高周波成分信号を抽出する第２のローパスフィルタと、
前記低域側高周波成分信号に第１のゲインを乗算して、第１の補正成分信号を生成する第１の乗算器と、
前記入力された映像信号より第２の高周波成分信号を抽出するハイパスフィルタと、
前記第２の高周波成分信号に第２のゲインを乗算して、第２の補正成分信号を生成する第２の乗算器と、
前記入力された映像信号に前記第１及び第２の補正成分信号を加算する加算器と
を備えることを特徴とする画質改善装置。
【請求項２】
入力された映像信号より第１の高周波成分信号を抽出するハイパスフィルタと、
前記第１の高周波成分信号に第１のゲインを乗算して、第１の補正成分信号を生成する第１の乗算器と、
前記入力された映像信号に前記第１の補正成分信号を加算する第１の加算器と、
第１の遮断周波数を有し、前記加算器より出力された映像信号の低周波成分信号を抽出する第１のローパスフィルタと、
前記加算器より出力された映像信号より前記低周波成分信号を減算して、第２の高周波成分信号を抽出する減算器と、
前記第１の遮断周波数よりも高い第２の遮断周波数を有し、前記第２の高周波成分信号における低域側の信号である低域側高周波成分信号を抽出する第２のローパスフィルタと、
前記低域側高周波成分信号に第２のゲインを乗算して、第２の補正成分信号を生成する第２の乗算器と、
前記第１の加算器より出力された映像信号に前記第２の補正成分信号を加算する第２の加算器と
を備えることを特徴とする画質改善装置。
【請求項３】
第１の遮断周波数を有し、入力された映像信号の低周波成分信号を抽出する第１のローパスフィルタと、
前記入力された映像信号より前記低周波成分信号を減算して、第１の高周波成分信号を抽出する減算器と、
前記第１の遮断周波数よりも高い第２の遮断周波数を有し、前記第１の高周波成分信号における低域側の信号である低域側高周波成分信号を抽出する第２のローパスフィルタと、
前記低域側高周波成分信号に第１のゲインを乗算して、第１の補正成分信号を生成する第１の乗算器と、
前記入力された映像信号に前記第１の補正成分信号を加算する第１の加算器と、
前記第１の加算器より出力された映像信号より第２の高周波成分信号を抽出するハイパスフィルタと、
前記第２の高周波成分信号に第２のゲインを乗算して、第２の補正成分信号を生成する第２の乗算器と、
前記第１の加算器より出力された映像信号に前記第２の補正成分信号を加算する第２の加算器と
を備えることを特徴とする画質改善装置。
【請求項４】
前記第１のローパスフィルタはガウシアンフィルタであることを特徴とする請求項１〜３のいずれか１項に記載の画質改善装置。
【請求項５】
前記第２のローパスフィルタの後段に、前記低域側高周波成分信号の値を所定の制限特性で制限して前記第１の乗算器に供給する第１のリミッタを備えることを特徴とする請求項１または３に記載の画質改善装置。
【請求項６】
前記第２のローパスフィルタの後段に、前記低域側高周波成分信号の値を所定の制限特性で制限して前記第２の乗算器に供給する第１のリミッタを備えることを特徴とする請求項２記載の画質改善装置。
【請求項７】
前記減算器の後段に、前記第１の高周波成分信号の値を所定の制限特性で制限して前記第２のローパスフィルタに供給する第１のリミッタを備えることを特徴とする請求項１または３に記載の画質改善装置。
【請求項８】
前記減算器の後段に、前記第２の高周波成分信号の値を所定の制限特性で制限して前記第２のローパスフィルタに供給する第１のリミッタを備えることを特徴とする請求項２記載の画質改善装置。
【請求項９】
前記ハイパスフィルタの後段に、前記第２の高周波成分信号の値を所定の制限特性で制限して前記第２の乗算器に供給する第２のリミッタを備えることを特徴とする請求項１または３に記載の画質改善装置。
【請求項１０】
前記ハイパスフィルタの後段に、前記第１の高周波成分信号の値を所定の制限特性で制限して前記第１の乗算器に供給する第２のリミッタを備えることを特徴とする請求項２記載の画質改善装置。
【請求項１１】
第１の遮断周波数を有する第１のローパスフィルタによって映像信号の低周波成分信号を抽出する第１のステップと、
前記映像信号より前記低周波成分信号を減算して、高周波成分信号を抽出する第２のステップと、
前記第１の遮断周波数よりも高い第２の遮断周波数を有する第２のローパスフィルタによって前記高周波成分信号における低域側の信号である低域側高周波成分信号を抽出する第３のステップと、
前記低域側高周波成分信号に所定のゲインを乗算して、第１の補正成分信号を生成する第４のステップと、
前記映像信号に前記第１の補正成分信号を加算して、前記映像信号の帯域における前記低域側高周波成分信号の帯域成分が強調された補正映像信号を出力する第５のステップと、
前記映像信号の帯域における高域成分を強調するための第２の補正成分信号を生成する第６のステップと
を含み、
前記第５のステップは、前記映像信号に前記第１及び第２の補正成分信号の双方を加算して、前記低域側高周波成分信号の帯域成分及び前記高域成分が強調された補正映像信号を出力することを特徴とする画質改善方法。
【請求項１２】
第１の遮断周波数を有する第１のローパスフィルタによって映像信号の低周波成分信号を抽出する第１のステップと、
前記映像信号より前記低周波成分信号を減算して、高周波成分信号を抽出する第２のステップと、
前記第１の遮断周波数よりも高い第２の遮断周波数を有する第２のローパスフィルタによって前記高周波成分信号における低域側の信号である低域側高周波成分信号を抽出する第３のステップと、
前記低域側高周波成分信号に所定のゲインを乗算して、第１の補正成分信号を生成する第４のステップと、
前記映像信号に前記第１の補正成分信号を加算して、前記映像信号の帯域における前記低域側高周波成分信号の帯域成分が強調された補正映像信号を出力する第５のステップと、
前記映像信号の帯域における高域成分を強調するための第２の補正成分信号を生成する第６のステップと、
前記映像信号に前記第２の補正成分信号を加算して、前記映像信号の帯域における前記高域成分が強調された補正映像信号を出力する第７のステップと
を含み、
前記第１〜第５のステップを、前記第６及び第７のステップの後段で行うことを特徴とする記載の画質改善方法。
【請求項１３】
第１の遮断周波数を有する第１のローパスフィルタによって映像信号の低周波成分信号を抽出する第１のステップと、
前記映像信号より前記低周波成分信号を減算して、高周波成分信号を抽出する第２のステップと、
前記第１の遮断周波数よりも高い第２の遮断周波数を有する第２のローパスフィルタによって前記高周波成分信号における低域側の信号である低域側高周波成分信号を抽出する第３のステップと、
前記低域側高周波成分信号に所定のゲインを乗算して、第１の補正成分信号を生成する第４のステップと、
前記映像信号に前記第１の補正成分信号を加算して、前記映像信号の帯域における前記低域側高周波成分信号の帯域成分が強調された補正映像信号を出力する第５のステップと、
前記映像信号の帯域における高域成分を強調するための第２の補正成分信号を生成する第６のステップと、
前記映像信号に前記第２の補正成分信号を加算して、前記映像信号の帯域における前記高域成分が強調された補正映像信号を出力する第７のステップと
を含み、
前記第１〜第５のステップを、前記第６及び第７のステップの前段で行うことを特徴とする画質改善方法。
【請求項１４】
前記第１のローパスフィルタはガウシアンフィルタであることを特徴とする請求項１１〜１３のいずれか１項に記載の画質改善方法。
【請求項１５】
前記低域側高周波成分信号または前記高周波成分信号の値を所定の制限特性で制限する第７のステップを含むことを特徴とする請求項１１記載の画質改善方法。
【請求項１６】
前記低域側高周波成分信号または前記高周波成分信号の値を所定の制限特性で制限する第８のステップを含むことを特徴とする請求項１２または１３に記載の画質改善方法。
【手続補正２】
【補正対象書類名】明細書
【補正対象項目名】０００６
【補正方法】変更
【補正の内容】
【０００６】
本発明は、上述した従来の技術の課題を解決するため、第１の遮断周波数を有し、入力された映像信号の低周波成分信号を抽出する第１のローパスフィルタ（２）と、前記入力された映像信号より前記低周波成分信号を減算して、第１の高周波成分信号を抽出する減算器（３）と、前記第１の遮断周波数よりも高い第２の遮断周波数を有し、前記第１の高周波成分信号における低域側の信号である低域側高周波成分信号を抽出する第２のローパスフィルタ（５）と、前記低域側高周波成分信号に第１のゲインを乗算して、第１の補正成分信号を生成する第１の乗算器（６）と、前記入力された映像信号より第２の高周波成分信号を抽出するハイパスフィルタ（９）と、前記第２の高周波成分信号に第２のゲインを乗算して、第２の補正成分信号を生成する第２の乗算器（１１）と、前記入力された映像信号に前記第１及び第２の補正成分信号を加算する加算器（７）とを備えることを特徴とする画質改善装置を提供する。
【手続補正３】
【補正対象書類名】明細書
【補正対象項目名】０００７
【補正方法】変更
【補正の内容】
【０００７】
また、本発明は、上述した従来の技術の課題を解決するため、入力された映像信号より第１の高周波成分信号を抽出するハイパスフィルタ（９）と、前記第１の高周波成分信号に第１のゲインを乗算して、第１の補正成分信号を生成する第１の乗算器（１１）と、前記入力された映像信号に前記第１の補正成分信号を加算する第１の加算器（１３）と、第１の遮断周波数を有し、前記加算器より出力された映像信号の低周波成分信号を抽出する第１のローパスフィルタ（２）と、前記加算器より出力された映像信号より前記低周波成分信号を減算して、第２の高周波成分信号を抽出する減算器（３）と、前記第１の遮断周波数よりも高い第２の遮断周波数を有し、前記第２の高周波成分信号における低域側の信号である低域側高周波成分信号を抽出する第２のローパスフィルタ（５）と、前記低域側高周波成分信号に第２のゲインを乗算して、第２の補正成分信号を生成する第２の乗算器（６）と、前記第１の加算器より出力された映像信号に前記第２の補正成分信号を加算する第２の加算器（７）とを備えることを特徴とする画質改善装置を提供する。
【手続補正４】
【補正対象書類名】明細書
【補正対象項目名】０００８
【補正方法】変更
【補正の内容】
【０００８】
さらに、本発明は、上述した従来の技術の課題を解決するため、第１の遮断周波数を有し、入力された映像信号の低周波成分信号を抽出する第１のローパスフィルタ（２）と、前記入力された映像信号より前記低周波成分信号を減算して、第１の高周波成分信号を抽出する減算器（３）と、前記第１の遮断周波数よりも高い第２の遮断周波数を有し、前記第１の高周波成分信号における低域側の信号である低域側高周波成分信号を抽出する第２のローパスフィルタ（５）と、前記低域側高周波成分信号に第１のゲインを乗算して、第１の補正成分信号を生成する第１の乗算器（６）と、前記入力された映像信号に前記第１の補正成分信号を加算する第１の加算器（７）と、前記第１の加算器より出力された映像信号より第２の高周波成分信号を抽出するハイパスフィルタ（９）と、前記第２の高周波成分信号に第２のゲインを乗算して、第２の補正成分信号を生成する第２の乗算器（１１）と、前記第１の加算器より出力された映像信号に前記第２の補正成分信号を加算する第２の加算器（１３）とを備えることを特徴とする画質改善装置を提供する。
【手続補正５】
【補正対象書類名】明細書
【補正対象項目名】０００９
【補正方法】変更
【補正の内容】
【０００９】
本発明は、上述した従来の技術の課題を解決するため、第１の遮断周波数を有する第１のローパスフィルタによって映像信号の低周波成分信号を抽出する第１のステップと、前記映像信号より前記低周波成分信号を減算して、高周波成分信号を抽出する第２のステップと、前記第１の遮断周波数よりも高い第２の遮断周波数を有する第２のローパスフィルタによって前記高周波成分信号における低域側の信号である低域側高周波成分信号を抽出する第３のステップと、前記低域側高周波成分信号に所定のゲインを乗算して、第１の補正成分信号を生成する第４のステップと、前記映像信号に前記第１の補正成分信号を加算して、前記映像信号の帯域における前記低域側高周波成分信号の帯域成分が強調された補正映像信号を出力する第５のステップと、前記映像信号の帯域における高域成分を強調するための第２の補正成分信号を生成する第６のステップとを含み、前記第５のステップは、前記映像信号に前記第１及び第２の補正成分信号の双方を加算して、前記低域側高周波成分信号の帯域成分及び前記高域成分が強調された補正映像信号を出力することを特徴とする画質改善方法を提供する。
【手続補正６】
【補正対象書類名】明細書
【補正対象項目名】００１０
【補正方法】変更
【補正の内容】
【００１０】
また、本発明は、上述した従来の技術の課題を解決するため、第１の遮断周波数を有する第１のローパスフィルタによって映像信号の低周波成分信号を抽出する第１のステップと、前記映像信号より前記低周波成分信号を減算して、高周波成分信号を抽出する第２のステップと、前記第１の遮断周波数よりも高い第２の遮断周波数を有する第２のローパスフィルタによって前記高周波成分信号における低域側の信号である低域側高周波成分信号を抽出する第３のステップと、前記低域側高周波成分信号に所定のゲインを乗算して、第１の補正成分信号を生成する第４のステップと、前記映像信号に前記第１の補正成分信号を加算して、前記映像信号の帯域における前記低域側高周波成分信号の帯域成分が強調された補正映像信号を出力する第５のステップと、前記映像信号の帯域における高域成分を強調するための第２の補正成分信号を生成する第６のステップと、前記映像信号に前記第２の補正成分信号を加算して、前記映像信号の帯域における前記高域成分が強調された補正映像信号を出力する第７のステップとを含み、前記第１〜第５のステップを、前記第６及び第７のステップの後段で行うことを特徴とする記載の画質改善方法を提供する。
【手続補正７】
【補正対象書類名】明細書
【補正対象項目名】００１１
【補正方法】変更
【補正の内容】
【００１１】
さらに、本発明は、上述した従来の技術の課題を解決するため、第１の遮断周波数を有する第１のローパスフィルタによって映像信号の低周波成分信号を抽出する第１のステップと、前記映像信号より前記低周波成分信号を減算して、高周波成分信号を抽出する第２のステップと、前記第１の遮断周波数よりも高い第２の遮断周波数を有する第２のローパスフィルタによって前記高周波成分信号における低域側の信号である低域側高周波成分信号を抽出する第３のステップと、前記低域側高周波成分信号に所定のゲインを乗算して、第１の補正成分信号を生成する第４のステップと、前記映像信号に前記第１の補正成分信号を加算して、前記映像信号の帯域における前記低域側高周波成分信号の帯域成分が強調された補正映像信号を出力する第５のステップと、前記映像信号の帯域における高域成分を強調するための第２の補正成分信号を生成する第６のステップと、前記映像信号に前記第２の補正成分信号を加算して、前記映像信号の帯域における前記高域成分が強調された補正映像信号を出力する第７のステップとを含み、前記第１〜第５のステップを、前記第６及び第７のステップの前段で行うことを特徴とする画質改善方法を提供する。
【手続補正８】
【補正対象書類名】明細書
【補正対象項目名】００１２
【補正方法】変更
【補正の内容】
【００１２】
以上の構成において、第１のローパスフィルタはガウシアンフィルタであることが好ましい。
また、低域側高周波成分信号または（第１，第２の）高周波成分信号の値を所定の制限特性で制限することが好ましい。